(57)【要約】【課題】照明灯、ポスト、新聞受け箱等の装着物の取付位置の調整や取付作業が容易になされるフェンスを提供する。【解決手段】縦線材１１と横線材１２とからなる格子状のフェンス本体１に係止部材２を介して装着物３が係止され、係止部材２は、部材本体２１と、部材本体２１の一方の端面２１ａに相対向して設けられた押さえ部材２２と、部材本体２１と押さえ部材２２とを貫通する固定ボルト２３とを備え、固定ボルト２３を締め付けることにより、部材本体２１の端面２１ａと押さえ部材２２との間に配置された縦線材１１と横線材１２とからなるフェンス本体１の交叉部１３が挟着され、かつ部材本体２１の他方の端面２１ｂに配置された装着物３が係止部材２を介して係止されるように構成する。【選択図】  図１
2010196383.tif 000002
【特許請求の範囲】
【請求項１】
多数の縦線材と横線材とからなる格子状のフェンス本体に係止部材を介して装着物が係止され、前記係止部材は、部材本体と、該部材本体の一方の端面に相対向して設けられた押さえ部材と、前記部材本体と押さえ部材とを貫通する固定ボルトとを備え、前記固定ボルトを締め付けることにより、部材本体の一方の端面と押さえ部材との間に配置された縦線材と横線材とからなるフェンス本体の交叉部が挟着され、かつ部材本体の他方の端面に配置された装着物が前記係止部材を介して係止されたことを特徴とするフェンス。
【請求項２】
前記固定ボルトは２個左右に設けられ、かつ部材本体を貫通しない押さえボルトが前記固定ボルトの下方に２個設けられて、前記２個の固定ボルトと２個の押さえボルトとにより、フェンス本体の交叉部が部材本体の一方の端面と押さえ部材との間に挟着されるようになされると共に、前記２個の固定ボルトの間にフェンス本体の交叉部の縦線材が配置され、固定ボルトと押さえボルトとの間に横線材が配置されたことを特徴とする請求項１に記載のフェンス。
【発明の詳細な説明】
【技術分野】
【０００１】
本発明は、縦線材と横線材とからなる格子状のフェンスに関するものであり、特に係止部材を介して照明灯や新聞の受け箱等の装着物が取付けられたフェンスに関するものである。
【背景技術】
【０００２】
住宅の敷地境界部等に沿って取付けられるフェンスは、一般には、敷地境界部を明示する目的や部外者の侵入を防止するために設置されるものであるが、出入り口付近に位置するフェンスにおいては、住民のための照明等や新聞の受け箱などの装着物が設けられる場合がある。この場合、装着物の取付方法は、装着物の裏面にフックや紐等の係止具を取付けてフェンスの線材に引っ掛けるような簡易な方法によるものであった。
【０００３】
そこで、特許文献１には、係止片を備えた支持具にて郵便・新聞受箱を支持すると共に該支持具の係止片をフェンス構造体の構成部材に係止させてなる郵便・新聞受箱付きフェンス構造体が提案されている。
【０００４】
又、特許文献２には、ベランダ用さくにおいて、装飾付き額縁がはめ込まれる部分を額縁の外形に合わせてくり貫き、額縁を格子パネルに着脱可能に固定したベランダ用さくが提案されている。
【先行技術文献】
【特許文献】
【０００５】
【特許文献１】実開昭６３−５３４７３号公報
【特許文献２】特開２０００−１３６６５４号公報
【発明の概要】
【発明が解決しようとする課題】
【０００６】
しかしながら、特許文献１のフェンス構造体には次のような問題点があった。すなわち、図１に示されるように、支持具と郵便・新聞受箱とを締結する部材、及び支持具の係止片と構成部材とを締結する部材を、それぞれ別々に用意する必要があり、取付作業が煩わしいものであった、又、構成部材の厚さに合う係止片が必要となるため、構成部材の厚さに応じて支持具を準備する必要があった。
【０００７】
又、特許文献２のベランダ用さくは、格子パネルに額縁がはめ込まれる部分をくり貫いて設けられるため、額縁の位置調整が困難であった。
【０００８】
本発明は、前記の如き問題点を解消し、照明灯、ポスト、新聞の受け箱等の装着物を取付ける際、その取付位置の調整や取付作業が容易になされるフェンスを提供せんとするものである。
【課題を解決するための手段】
【０００９】
上記目的を達成するために、本発明は次のような構成としている。
【００１０】
すなわちこの発明に係るフェンスは、多数の縦線材と横線材とからなる格子状のフェンスに係止部材を介して装着物が係止され、前記係止部材は、部材本体と、該部材本体の一方の端面に相対向して設けられた押さえ部材と、前記部材本体と押さえ部材とを貫通する固定ボルトとを備え、前記固定ボルトを締め付けることにより、部材本体の一方の端面と押さえ部材との間に配置された縦線材と横線材とからなるフェンスの交叉部が挟着され、かつ部材本体の他方の端面に配置された装着物が前記係止部材を介して係止されたことを特徴とするものである。
【００１１】
本発明に係るフェンスにおいて、前記固定ボルトを２個左右に設け、かつ部材本体を貫通しない押さえボルトを前記固定ボルトの下方に２個設け、前記２個の固定ボルトと２個の押さえボルトとにより、フェンスの交叉部を部材本体の一方の端面と押さえ部材との間に挟着させると共に、前記２個の固定ボルトの間にフェンスの交叉部の縦線材を配置し、固定ボルトと押さえボルトとの間に横線材を配置するように構成してもよい。
【発明の効果】
【００１２】
本発明によれば、前記係止部材の固定ボルトを締め付けることにより、部材本体の一方の端面と押さえ部材との間に配置された縦線材と横線材とからなるフェンスの交叉部が挟着され、かつ部材本体の他方の端面に配置された装着物が前記係止部材を介して係止されるので、フェンスの交叉部の任意の箇所に装着物を係止させることができ、しかも固定ボルトの締め付けによりフェンスに対する係止部材の取付作業と、その係止部材を介して装着物の係止作業を一緒にできるので、装着物の係止作業が容易となる。
【００１３】
又、本発明に係るフェンスにおいて、前記固定ボルトを２個左右に設け、かつ部材本体を貫通しない押さえボルトを前記固定ボルトの下方に２個設け、前記２個の固定ボルトと２個の押さえボルトとにより、フェンスの交叉部を部材本体の一方の端面と押さえ部材との間に挟着させると共に、前記２個の固定ボルトの間にフェンスの交叉部の縦線材を配置し、固定ボルトと押さえボルトとの間に横線材を配置するように構成すれば、部材本体の一方の端面と押さえ部材との間でフェンスの交叉部を確実に挟着させることができるのでより好ましい。
【図面の簡単な説明】
【００１４】
【図１】本発明に係るフェンスの実施の一形態を示す概略説明図である。
【図２】図１の主要部の拡大側面図である。
【図３】図１の装着物の拡大側面図である。
【図４】本発明に係るフェンスの他の実施形態を示す説明図である。
【図５】図２の係止部材の変形を示す説明図である。
【図６】本発明に係るフェンスの更に他の実施形態を示す正面図である。
【発明を実施するための形態】
【００１５】
次に、本発明を実施するための最良の形態について図面を参照し、具体的に説明する。
【００１６】
図面において、１は格子状のフェンス本体、２はフェンス本体１に取付けられる係止部材、３は係止部材２を介してフェンス本体１に係止される装着物であり、本発明に係るフェンスＰは、フェンス本体１、係止部材２、装着物３とから主に構成されるものである。
【００１７】
図１は、本発明に係るフェンスＰの第一の実施形態を示す説明図であり、（ａ）は平面図、（ｂ）は正面図、（ｃ）は側面図である。フェンス本体１は、多数の縦線材１１と横線材１２とが格子状に配置されると共に、縦線材１１と横線材１２とからなる交叉点１３において接合されたものである。本実施形態において、縦線材１１と横線材１２とは、強度的に安定しておりコストの安い鋼線が好適に用いられるが、ステンレス合金やアルミニウム合金等の他の金属からなる線材を用いてもよい。又、フェンス本体１の交叉点１３は熔接により接合されているが、クリップ等の接合具によって交叉点１３を接合するものでもよい。更に本実施形態では、縦線材１１と横線材１２の耐食性や耐候性を向上させるためにめっきや塗装が施されている。
【００１８】
かかるフェンス本体１は、取付金具４を介して、地表に立設された支柱５に固着されている。前後に間隔をおいて相対してそれぞれ配置されると共に、フェンス本体１の両側端が相対するフェンス本体１に向けてそれぞれ折曲されて側端部１４が設けられ、平面視コ字状となされている。そして、相対するフェンス本体１の内側には、支柱５が左右に間隔をおいて立設され、フェンス本体１の側端部１４の内側に支柱１が配置されると共に、取付金具４によって該側端部１４が支柱１に取付けられたものである。
【００１９】
図２は、図１の主要部の拡大図であり、（ａ）はＡ−Ａ断面における拡大断面図、（ｂ）はＢ方向矢視図である。係止部材２は、装着物３をフェンス本体１に係止させるためのものであり、部材本体２１と、部材本体２１の一方の端面２１ａに相対向して設けられた押さえ部材２２と、部材本体２１と押さえ部材２２とを貫通する固定ボルト２３とを備えており、部材本体２１の一方の端面２１ａから他方の端面２１ｂに向けて貫通する貫通孔２１ｃと、押さえ部材２２の一方の端面２２ａから他方の端面２２ｂ向けて貫通する貫通孔２２ｃに固定ボルト２３が挿通されている。固定ボルト２３のねじ先端には固定ナット２４が螺着可能に取付けられており、固定ナット２４は、押さえ部材２２の端面２２ｂ側、又は部材本体２１の端面２１ｂ側に配置可能であり、固定ボルト２３の頭部２３ａは、前記固定ナット２４と逆の位置に配置される。
【００２０】
部材本体２１は、本実施形態では、アルミニウム合金からなる四角短柱体であるが、鋼材等の他の金属や合成樹脂等から形成されたものでもよく、縦断面形状も四角以外の多角形状や円形状、楕円形状等でもよい。押さえ部材２２は、部材本体２１と同様にアルミニウム合金からなる四角短柱体であるが、鋼材等の他の金属や合成樹脂等から形成されたものでもよい。又縦断面形状は、部材本体２１と同形状の方が、外観上や施工性の点で好ましいが、多角形状や円形状、楕円形状等でもよい。
【００２１】
装着物３は、係止部材２の部材本体２１の端面２１ｂに配置され、係止部材２を介してフェンス本体１に係止されるものである。
【００２２】
かかる装着物３は、図３に示すように、左右方向に長尺となされた照明灯であり、上面に設けられた太陽電池３１ａによって発電された電力を本体内部の蓄電池（図示せず）に充電して下面に設けられた灯部３１ｂを点灯させるものである。装着物３は、上下方向に長尺の照明灯でもよく、或いは、牛乳や新聞の受け箱、ポスト等のフェンス本体１に対する機能付加を目的として取付けられるものであれば、特に限定されるものではない。
【００２３】
装着物３の後部には、図２，３に示すように、係止部材２に係止させるための係止溝３１が設けられている。係止溝３１は、左右方向に沿って形成され、固定ボルト２３の頭部２３ａ又は固定ボルト２３に螺着される固定ナット２４が挿入可能となされている。そして、前記係止溝３１には、内方で突出する係止端縁３３が設けられ、前記頭部２３ａ又は固定ナット２４が該係止溝３１中を摺動可能且つ係止されるようになされている。係止端縁３３は、本実施形態では、係止溝３１の上下に相対向して設けられているが、少なくとも上下の一方に設けられていればよい。
【００２４】
装着物３は、図１に示すように、２個の係止部材２により係止された構造であるが、装着物３を安定的に係止できるのであれば、係止部材２は１個でもよく、或いは必要に応じて係止部材２を３個以上用いてもよい。
【００２５】
次に、フェンス本体１と係止部材２との取付構造について詳しく説明する。図２に示すように、係止部材２の部材本体２１の端面２１ａと押さえ部材２２の端面２２ａとの間にフェンス本体１の交叉部１３が配置されている。そして固定ナット２４を締め付けることにより、前記交叉部１３が部材本体２１と押さえ部材２２との間に挟着される。この際、前記のように、固定ボルトの頭部２３ａを装着物３の係止溝３１に挿入しておけば、前記頭部２３ａと部材本体２１の端面２１ｂとの間に、係止溝３１の係止端縁３３が挟着され、係止部材２を介して装着物３がフェンス本体１に対して固着される。又部材本体２１の端面２１ａが縦格子１１に当接されているため、装着物３の先端部が下方に下がるを抑え、装着物３を安定的に支持することができる。尚、交叉部１３において、縦線材１１が押さえ部材２２側に位置している場合は、部材本体２１の端面２１ａから縦線材１１に当接される突設部を設けた形態としてもよい。
【００２６】
係止部材２の固定ボルト２３は、左右に間隔をおいて２個取付けられており、この固定ボルト２３のみを用いれば、フェンス本体１に係止部材２を取付けることが可能であるが、本実施形態では、更に左右の固定ボルト２３の下方には、押さえ部材２２の挿通孔２２ｄを貫通して、部材本体２１を貫通せず、部材本体２１のボルト孔２１ｄに螺入される押さえボルト２５がそれぞれ設けられている。そして前記２個の固定ボルト２３の間及び押さえボルト２５との間に交叉部１３を形成する縦線材１１が配置され、固定ボルト２３と押さえボルト２５との間に交叉部を形成する横線材１２が配置されている。この構造により、部材本体２１と押さえ部材２２との間にフェンス本体１の交叉部１３をより確実に挟着させることができる。
【００２７】
固定ボルト２３は、悪戯等により容易に外されないようにするために、固定ナット２４が螺着されるねじ部に予めねじロック剤等の接着剤や粘着剤を塗布しておき、施工後には容易に外されない構造としてもよい。又、押さえボルト２５においては、ねじ頭部の形状を通常のドライバー等では嵌らず、専用ドライバーが嵌合する特殊な形状としてもよい。
【００２８】
図４は、本発明に係るフェンスの他の実施形態を示す説明図であり、（ａ）は正面図、（ｂ）は（ａ）のＣ−Ｃ断面における拡大分解説明図である。装着物３をフェンス本体１の最上端部の交叉部１３に取付ける場合は、予め係止部材２の固定ボルト２３の頭部２３ａを装着物３の係止溝３１に挿入し、そして固定ナット２４の螺着位置を所定の位置に合わせておけば、係止部材２の部材本体２１と押さえ部材２２との間に前記交叉部１３が配置されるように、フェンス本体１の上方から係止部材２を落とし込むことができるので、係止部材２をフェンス本体１に仮止めすることが可能となり、フェンス本体１に対する装着物３の係止作業が容易となる。前記仮止作業の後に固定ボルト２３を増し締めし、そして押さえボルト２５を螺着させればよい。
【００２９】
図１〜４に示されたフェンスＰは、装着物３の係止溝３１に係止部材２の固定ボルト２３の頭部２３ａが挿入されたものであるが、係止部材２の固定ナット２４が前記係止溝３１に挿入された形態でもよい。
【００３０】
図５は、押さえ部材２２の変形を示す斜視図である。すなわち、図２に示された押さえ部材２２は、固定ボルト２３及び押さえボルト２５が挿通される挿通孔が上下左右に合わせて４個別々に形成されたものであるが、図５に示された押さえ部材２２においては、押さえ部材２２の下端から上方に向けて切欠部２６が設けられると共に、この切欠部２６に固定ボルト２３及び押さえボルト２５が挿通可能となされたものである。これにより、固定ボルト２３及び押さえボルト２５に押さえ部材２２を挿通させる必要がなくなり、切欠部２６の下端から固定ボルト２３等のねじ部を差し込むことができるので、フェンス本体１に対する係止部材２の取付作業がより容易となる。
【００３１】
図６は、フェンス本体１の更に他の実施形態を示す正面図である。本実施形態に係るフェンス本体１は、左右方向に連続的に配置されると共に、取付金具４を介してフェンス本体１の後方に立設された支柱５に取付けられたものである。そして図１〜４に示されたフェンスＰと同様に、係止部材（図示せず）を介してフェンス本体１に装着物３が係止させることができる。
【産業上の利用可能性】
【００３２】
本発明によれば、フェンスに対して、照明灯、ポスト、新聞受け箱等の装着物の取付位置の調整や取付作業が容易になされるので、通常のフェンスのみではなく、格子状のフェンス体が用いられた門扉や門柱等に対しても好適に利用することができる。
【符号の説明】
【００３３】
１    フェンス本体
１１  縦線材
１２  横線材
１３  交叉部
２    係止部材
２１  部材本体
２２  押さえ部材
２３  固定ボルト
２４  固定ナット
２５  押さえボルト
２６  切欠部
３    装着物
３１  係止部
３２  係止溝
３３  係止端縁
４    取付金具
５    支柱
Ｐ    フェンス
【図１】
2010196383.tif 000003
【図２】
2010196383.tif 000004
【図３】
2010196383.tif 000005
【図４】
2010196383.tif 000006
【図５】
2010196383.tif 000007
【図６】
2010196383.tif 000008